(57)【要約】【課題】  ネジや軸を用いる事無く、ワンタッチでテンプルの交換が出来、磁石同士の吸着でも、スムーズにテンプルの回動が出来、折り畳み、開拡が出来るようにする事。【解決手段】眼鏡のフロントフレームの左右両端部で連結部固定側であるヨロイ部（２）端部合口部には、磁性体（４）がその内側角を丸められるように設けられ、そしてその磁性体から前方に連設される磁石（３）がヨロイ部端部近辺に設けられ、そして、連結部可動側であるテンプル（７）合口部には、前記ヨロイ側磁性体に吸着するための磁石（８）が設けられ、そして又、前記テンプルが上下にずれない為の停止手段である鍔（９）がヨロイ部内側と合口部上下部に設けられ、前記テンプルが折畳み又は開拡する際に、バタつきやズレ等が無く、スムーズに摺動し回動するように設けられた事を特徴とする、眼鏡のヨロイ部とテンプルとの磁着連結構造の提供。【選択図】図３
2015018199.tif 000002
【特許請求の範囲】
【請求項１】
眼鏡のフロントフレームの左右両端部で連結部固定側であるヨロイ部端部合口部には、磁性体がその内側角を丸められるように設けられ、そしてその磁性体から前方に連設される磁石がヨロイ部端部近辺に設けられ、そして、連結部可動側であるテンプル合口部には、前記ヨロイ側磁性体に吸着するための磁石が設けられ、そして又、前記テンプルが上下にずれない為の停止手段である鍔がヨロイ部内側と合口部上下部に設けられ、前記テンプルが折畳み又は開拡する際に、バタつきやズレ等が無く、スムーズに摺動し回動するように設けられた事を特徴とする、眼鏡のヨロイ部とテンプルとの磁着連結構造。
【発明の詳細な説明】
【技術分野】
【０００１】眼鏡のヨロイ部とテンプルとの連結構造に関し、特にネジやピンを必要としない磁石を使用した連結構造に関する。又、本発明は再公表特許ＷＯ２００９／１１３１８７の改良にも関する。
【背景技術】
【０００２】本発明は前述したように主としてＷＯ２００９／１１３１８７で提案した磁石を使用した連結構造の改良に関する。
【先行技術文献】
【０００３】
【特許文献】
【特許文献】ＷＯ２００９／１１３１８７
【発明の概要】
【発明が解決しようとする課題】
【０００４】上記ＷＯ２００９／１１３１８７で本発明者が提案した磁石同士を使用したヨロイ部とテンプルとの連結構造に於いては、図４に示す様に、テンプル合口部に設けた磁石２０と、フロントフレームの左右両端部に設けられた磁石２１とによってフロントフレームとテンプルを連結して互いの吸着力によってテンプルが折畳み可能にされた状態になっている。図５は図４の要部拡大図であり、フロントフレームの両端部の周りをテンプルが摺動し回動する様子を表している。しかしながら、上記構造に於いては、テンプル４１を開いてフロントフレーム３１と９０度の角度で広げられている場合は互いの吸着力（磁着力）が強く互いに離れるという事は少ない。しかし、図４の矢印Ｋの様に内側にテンプル４１を折り畳もうする場合回動がスムーズにいかない事となった。そして又、テンプル４１がバタついたり、ズレたりして離れ易くなってしまった。この理由としては図５に示す様に、テンプル側磁石２０のＳ極とフロントフレームヨロイ側磁石２１のＮ極が吸着している場合は安定した状態で有るが、テンプルを回動させて折り畳んだ状態では、フロントフレーム側の磁力の一番弱い処で、テンプル側磁石２０のＳ極が図５の下方矢印Ｙの方向にずれる様な力が働き、テンプルが不安定な状態になった。【０００５】そして又、フロントフレームヨロイ側磁石２１の内側角部分２２が角張っているので、テンプルの摺動及び回動がスムーズに行かなくて、バタついたり、違った処にくっついたりしてスムーズな回動が得られなかった。又、フロントフレームヨロイ側の磁石２１ａを図６の様に丸い形状の物に代えて使用すると、テンプル側の回動はスムーズになるが、各停止状態での安定が困難になる。又その他の手段として、磁石のある部分だけ丸くするような特殊な形状に形成したり、加工したりする事も考えられたが、それは困難で非常に高価につく事になった。以上の様な課題があった。
【課題を解決するための手段】
【０００６】上記課題を解決するために、本発明に於いては、眼鏡のフロントフレームの左右両端部で連結部固定側であるヨロイ部端部合口部には、磁性体の内側角が丸められるように設けられ、そしてその磁性体から前方に連設される磁石がヨロイ部端部近辺に設けられ、そして、連結部可動側であるテンプル合口部には、前記ヨロイ側磁性体に吸着するための磁石が設けられ、そして又、前記テンプルが上下にずれない為の停止手段である鍔がヨロイ部内側と合口部上下部に設けられ、前記テンプルが折畳み又は開拡する際に、バタつきやズレ等が無く、スムーズに摺動し回動するように設けられた事を特徴とする、眼鏡のヨロイ部とテンプルとの磁着連結構造を採った。
【発明の効果】
【０００７】以上の様にする事により、テンプルの摺動、及び回動（回転）がスムーズに行え、しっかり吸着される事によりテンプルのズレや外れが大幅に少なくなってきた。
【図面の簡単な説明】
【０００８】
【図１】図１は本発明の説明用要部平面図
【図２】図２は本発明の要部外観平面図
【図３】図３は本発明の要部斜視図
【図４】図４は従来図平面図
【図５】図５は図４の要部拡大説明図
【図６】図６は説明図
【図７】図７は本発明の全体平面図
【発明を実施するための最良の形態】
【０００９】
【実施例１】
【００１０】以下、図１、図２、図３、及び図７により本発明を説明すると、図１は本発明の説明用要部平面図であり、眼鏡のフロントフレーム１の左右両端部２で連結部固定側であるヨロイ部端部合口部３には、磁性体４がその内側角４ａが丸められるように設けられる。そして、その磁性体４から前方に連設される磁石５がヨロイ部端部近辺に設けられ、そして、連結部可動側であるテンプル７合口部６には、前記ヨロイ側磁性体に吸着するための磁石８が設けられた状態を表している。こういう風に磁石及び磁性体を配置する事により、テンプル７の回動（矢印Ｓ）の際に、テンプルの摺動がスムーズになる。従来品の様に磁石ではなく磁性体（ここでは、鉄材（ＳＳ４００）が好ましい）にする事により、成形するにしても加工するにしても、簡単に出来、非常に安価に出来上がる。勿論材質にこだわる物ではないが、この磁性体は、所謂ヨーク（継鉄）として磁気回路の一部として作用している事も考えられる。【００１１】更に、ここでフロントフレームヨロイ側の磁性体の前方に磁石５が連設される事により、磁性体単独でヨロイ側に設けられるより、保磁性が強くなる事が知られており、テンプル７を折り畳んだ状態でも、従前の様にテンプルがズレる事が無くなった。【００１２】そして又図２の様に、テンプル７が上下にずれない為の停止手段である鍔９がヨロイ部内側と合口部上下部に設けられ、前記テンプル７が折畳み又は開拡する際に、バタつきやズレ等が無く、スムーズに摺動し回動するように設けられた．【００１３】次に図３は本発明の要部斜視図であり、ネジや軸を中心に用いられる事無く、接触のみでテンプルとフロントフレーム、を連結できる様子を表しており、テンプルの合口部上下には前記鍔９に嵌合するための凹部９ａが設けられ更にテンプルが外れ難くスムーズに回動が出来る様にされている。【００１４】図７は本発明の全体平面図であり、図の状態からの折り畳みもスムーズに行う事が出来、更には外への過開拡（図示なし）も可能であり、ネジや軸が無くてすっきりしたデザインにもなった。又、異なったデザインのテンプルの交換も自由に出来るので洋服等とのコーディネートも簡単になった。又、ここで使用された磁石は、ネオジム磁石であるが、将来的にもっと強力な磁石が開発されれば、そちらで有っても構わない。
【産業上の利用可能性】
【００１５】これからの、テンプル連結構造として、大いに利用可能となる。
【符号の説明】
【００１６】１                        フロントフレーム
２                        フロントフレーム両端部ヨロイ部
３                        ヨロイ端部合口部
４                        磁性体
４ａ                      磁性体内側角
５                        磁石
６                        テンプル側合口部
７                        テンプル
８                        テンプル側磁石
９                        鍔（停止手段）
【図１】
2015018199.tif 000003
【図２】
2015018199.tif 000004
【図３】
2015018199.tif 000005
【図４】
2015018199.tif 000006
【図５】
2015018199.tif 000007
【図６】
2015018199.tif 000008
【図７】
2015018199.tif 000009